(57)【要約】【課題】工期を短縮化することができ、工費を削減できるコンクリート構造物を提供する。【解決手段】柱３と梁５と床スラブ４とを剛結合してなる鉄筋コンクリート構造物１であって、床スラブ４の上部に梁５を一体に構築してなる躯体２を有している。躯体２の柱３、梁５、及び床スラブ４の表面の少なくとも一部には断熱材付き打込み型枠７、８、９、１０が残置されている。床スラブ４の上部には、梁５の梁成を床高とする床組１６が設けられ、この床組１６の上部に床１９が配置される。【選択図】図１
2007332631.tif 000002
【特許請求の範囲】
【請求項１】
柱と梁と床スラブとを剛結合してなる鉄筋コンクリート構造物であって、
前記床スラブの上部に一体に前記梁が一体に構築されていることを特徴とする鉄筋コンクリート構造物。
【請求項２】
前記柱、梁、及び床スラブの表面の少なくとも一部には断熱材付き打込み型枠が残置されていることを特徴とする請求項１に記載の鉄筋コンクリート構造物。
【請求項３】
前記床スラブの上部には、前記梁の梁成を床高とする床組が設けられ、該床組の上部に床が配置されていることを特徴とする請求項１又は２に記載の鉄筋コンクリート構造物。
【請求項４】
柱、梁、及び床スラブに対応する部分に型枠を配置する型枠工程と、各型枠に対して柱筋、梁筋及び床スラブ筋を配筋する配筋工程と、各型枠の内側にコンクリートを打設するコンクリート打設工程とを有し、これらの工程を経ることにより柱と梁と床スラブとを剛結合してなる鉄筋コンクリート構造物の構築工法であって、
前記床スラブの上部に前記梁を一体に構築することを特徴とする鉄筋コンクリート構造物の構築工法。
【請求項５】
前記型枠工程において断熱材付き打ち込み型枠を用い、該断熱材付き打ち込み型枠を、前記柱、梁、及び床スラブの表面の少なくとも一部に残置させることを特徴とする請求項４に記載の鉄筋コンクリート構造物の構築工法。
【請求項６】
前記コンクリート打設工程の後に、前記床スラブの上部に前記梁の梁成を床高とする床組を設け、該床組の上部に床を配置する床設置工程を備えていることを特徴とする請求項４又は５に記載の鉄筋コンクリート構造物の構築工法。
【発明の詳細な説明】
【技術分野】
【０００１】
本発明は、鉄筋コンクリート構造物及び鉄筋コンクリート構造物の構築工法に関し、特に、柱と梁と床スラブとを剛結合してなるラーメン構造の躯体を備えた鉄筋コンクリート構造物及び鉄筋コンクリート構造物の構築工法に関する。
【背景技術】
【０００２】
戸建住宅、重合住宅等の鉄筋コンクリート構造物に種々のタイプのものがあり、例えば、柱と梁と床スラブとを剛結合してなるラーメン構造の躯体を備えた鉄筋コンクリート構造物が一般に知られている。
【０００３】
このような構成の鉄筋コンクリート構造物にあっては、配筋工程、型枠工程、コンクリート打設工程等の複数の工程を経て、柱と梁と床スラブとを剛結合してなるラーメン構造の躯体を構築し、この躯体に対して内装工事、外装工事等を施すことにより、所望の戸建住宅、集合住宅等に仕上げている。
【発明の開示】
【発明が解決しようとする課題】
【０００４】
ところで、上記のような構成の鉄筋コンクリート構造物にあっては、図３及び図４に示すように、床スラブ２４の下部に梁２５が水平に架設されているため、躯体を構築する際に、床スラブ用の型枠（図示せず）の下部に梁用の型枠３０を配置しなければならず、梁用の型枠３０の取り付け、梁用の型枠３０と床スラブ用型枠との接続、梁用の型枠２０のサポート等に手間がかかってしまう。
【０００５】
また、床スラブ用の型枠から下部に溝状に凹んだ梁用の型枠２５の内部に、床スラブ筋及び梁用の型枠２５のフォームタイ３１を避けて梁筋を配筋しなければならないため、梁筋の配筋に手間がかかってしまう。
【０００６】
さらに、柱用の型枠、床スラブ用の型枠、梁用の型枠に対して、柱筋、床スラブ筋、及び梁筋を配筋し、各型枠に対してコンクリートを打設し、コンクリートが硬化した後に全ての型枠を取り外す必要があるため、その作業にも手間がかかってしまう。
【０００７】
さらに、各型枠を取り外した後に、柱、床スラブ、梁等の表面に断熱材を取り付けなければならないため、その作業にも手間がかかってしまう。
【０００８】
本発明は、上記のような従来の問題に鑑みなされたものであって、型枠の取り付け、型枠に対する鉄筋の配筋、及び型枠の取り外しに要する手間を大幅に削減することができるとともに、コンクリートの硬化後の断熱材の取り付けに要する手間も削減することができ、これにより、全体としての工期を短縮化することができて、工費を大幅に削減することができる鉄筋コンクリート構造物及び鉄筋コンクリート構造物の構築方法を提供することを目的とする。
【課題を解決するための手段】
【０００９】
上記のような課題を解決するために、本発明は、以下のような手段を採用している。
すなわち、請求項１に係る発明は、柱と梁と床スラブとを剛結合してなる鉄筋コンクリート構造物であって、前記床スラブの上部に一体に前記梁が一体に構築されていることを特徴とする。
【００１０】
本発明による鉄筋コンクリート構造物によれば、床スラブの上部に一体に梁が構築されているので、鉄筋コンクリート構造物を構築する際に、床スラブ用の型枠に対して床スラブ筋を配筋し、この床スラブ筋の上部から梁用の型枠の取り付け作業、梁用の型枠に対する梁筋の配筋作業等を行なうことができる。従って、梁用の型枠の取り付け、梁用の型枠に対する梁筋の配筋作業を容易にすることができるので、工期を短縮化し、工費を削減することができる。
【００１１】
請求項２に係る発明は、請求項１に記載の鉄筋コンクリート構造物であって、前記柱、梁、及び床スラブの表面の少なくとも一部には断熱材付き打込み型枠が残置されていることを特徴とする。
【００１２】
本発明による鉄筋コンクリート構造物によれば、柱、梁及び床スラブの表面の少なくとも一部に断熱材付き打ち込み型枠を残置させることができるので、コンクリートが硬化した後の型枠の取り外しに要する手間を削減することができ、これにより、工期を短縮化することができ、工費を削減することができる。
【００１３】
請求項３に係る発明は、請求項１又は２に記載の鉄筋コンクリート構造物であって、前記床スラブの上部には、前記梁の梁成を床高とする床組が設けられ、該床組の上部に床が配置されていることを特徴とする。
【００１４】
本発明による鉄筋コンクリート構造物によれば、床スラブの上部に床を設置する際に、梁を床組の一部として使用することができるので、床の設置に要する手間を削減することができる。
【００１５】
請求項４に係る発明は、柱、梁、及び床スラブに対応する部分に型枠を配置する型枠工程と、各型枠に対して柱筋、梁筋及び床スラブ筋を配筋する配筋工程と、各型枠の内側にコンクリートを打設するコンクリート打設工程とを有し、これらの工程を経ることにより柱と梁と床スラブとを剛結合してなる鉄筋コンクリート構造物の構築工法であって、前記床スラブの上部に前記梁を一体に構築することを特徴とする。
【００１６】
本発明による鉄筋コンクリート構造物の構築工法によれば、床スラブの上部に梁を一体に構築することになるので、鉄筋コンクリート構造物を構築する際に、床スラブ用の型枠に対して床スラブ筋を配筋し、この床スラブ筋の上部から梁用の型枠の取り付け作業、梁用の型枠に対する梁筋の配筋作業等を行なうことができる。従って、梁用の型枠の取り付け、梁用の型枠に対する梁筋の配筋作業を容易にすることができ、工期を短縮化することができ、工費を削減することができる。
【００１７】
請求項５に係る発明は、請求項４に記載の鉄筋コンクリート構造物の構築工法であって、前記型枠工程において断熱材付き打ち込み型枠を用い、該断熱材付き打ち込み型枠を、前記柱、梁、及び床スラブの表面の少なくとも一部に残置させることを特徴とする。
【００１８】
本発明による鉄筋コンクリート構造物の構築工法によれば、柱、梁及び床スラブの表面の少なくとも一部に断熱材付き打ち込み型枠を残置させることができるので、躯体のコンクリートが硬化した後の型枠の取り外しに要する手間を削減することができ、これにより、工期を短縮化することができ、工費を削減することができる。
【００１９】
請求項６に係る発明は、請求項４又は５に記載の鉄筋コンクリート構造物の構築工法であって、前記コンクリート打設工程の後に、前記床スラブの上部に前記梁の梁成を床高とする床組を設け、該床組の上部に床を配置する床設置工程を備えていることを特徴とする。
【００２０】
本発明による鉄筋コンクリート構造物の構築工法によれば、床設置工程において床を設置する際に、梁を床組の一部として使用することができるので、床スラブの上部に床を設置する際の手間を削減することができる。
【発明の効果】
【００２１】
以上、説明したように、本発明の鉄筋コンクリート構造物及び鉄筋コンクリート構造物の構築工法によれば、床スラブの上部に一体に梁を構築しているので、床スラブの上部において、梁用の型枠の組み立て、梁用の型枠に対する梁筋の配筋作業を行なうことができる。従って、梁用の型枠の組み立て、梁用の型枠に対する梁筋の配筋に要する手間を大幅に削減することができるので、全体としての工期を短縮化することができ、工費を大幅に削減することができる。
また、柱、梁、及び床スラブの表面の少なくとも一部に断熱材付き打ち込み型枠を残置させることができるので、コンクリートの硬化後の型枠の取り外しに要する手間を大幅に削減することができ、これによっても全体としての工期を短縮でき、工費を大幅に削減することができる。
【発明を実施するための最良の形態】
【００２２】
以下、図面を参照しつつ本発明の実施の形態について説明する。
図１及び図２には、本発明による鉄筋コンクリート構造物及び鉄筋コンクリート構造物の構築工法の一実施の形態が示されていて、図１は全体を示す概略図、図２は図１の部分拡大図である。
【００２３】
すなわち、本実施の形態に示す鉄筋コンクリート構造物１は、戸建住宅、集合住宅等の各種の鉄筋コンクリート構造物に適用可能なものであって、柱３と床スラブ４と梁５とを剛結合してなるラーメン構造の躯体２を備えている。
【００２４】
躯体２は、図１及び図２に示すように、基礎（図示せず）の上部に垂直に立設される鉄筋コンクリート製の複数の柱３と、隣接する柱３、３間に水平に架設される鉄筋コンクリート製の複数の梁５と、梁５の下部に水平に架設される鉄筋コンクリート製の床スラブ４とを備え、床スラブ４の上部に梁５が配置される逆梁構造に構成されている。なお、図中６は躯体２の外周に配置される外壁である。
【００２５】
躯体２の柱３、床スラブ４、梁５、及び外壁６の表面の少なくとも一部には、コンクリートを打設する際に使用した型枠７、８、９、１０が残置されており、この躯体２に対して内装工事、外装工事等を施すことにより、所望の戸建住宅、集合住宅等の鉄筋コンクリート構造物に仕上げられる。型枠７、８、９、１０には断熱材付き打ち込み型枠が使用され、躯体２の柱３、床スラブ４、梁５、及び外壁６の表面の一部又は全体に残置される。
【００２６】
躯体２の床スラブ４の上部には、梁５の梁成を床高とする支持柱１７、床下地１８等からなる床組１６が設置され、この床組１６の床下地１８の上部に床１９が設置される。この場合、梁５を床組１６の支持柱１７の一部として使用することができるので、床１９の設置に要する手間を削減することができる。また、床１９と床スラブ４との間に形成される空間２０は、各種の配線、配管、空調機等の設置スペースとして使用することができるので、配線、配管、空調機等の設置スペースを新たに設ける必要はない。さらに、床１９の一部に開閉蓋（図示せず）を配置することにより、空間２０内を開閉蓋によって開閉可能な床下収納部として使用することもできる。
【００２７】
上記のような構成の躯体２は、型枠工程、配筋工程、及びコンクリート打設工程を経ることにより、柱３と梁５と床スラブ４とが剛結合されたラーメン構造に構築される。以下、各工程について説明する。
【００２８】
（１）型枠工程
地盤の上部に基礎を構築し、この基礎の上部に、躯体２の柱３、床スラブ４、梁５、及び外壁６に対応する部分にそれぞれ型枠７、８、９、１０を配置する。この場合、各型７、８、９、１０枠の少なくとも一部に、コンクリート１５の硬化後に取り外す必要がなく、躯体２の構築後に躯体２に対して断熱材を配置する必要のない、断熱材付き打ち込み型枠を使用する。断熱材付き打ち込み型としては、例えば、本願出願人が先に提案している型枠（特開平１１−２９９９３号公報等）が有効である。
【００２９】
すなわち、この型枠は、型枠パネル材と、断熱複合パネルと、型枠パネル材と断熱複合パネルとを所定の間隔に保持するセパレータ、アタッチメント及び締結部材とを備えたものであって、この型枠を躯体２の柱３、床スラブ４、梁５、及び外壁６に対応する部分に配置し、各型枠７、８、９、１０に対してコンクリート１５を打設することにより、躯体２の柱３、床スラブ４、梁５、及び外壁６を構築することができる。コンクリート１５の硬化後に断熱複合パネルを取り外す必要がなく、断熱複合パネルをそのまま残置させることによって断熱材として機能させることができる。
【００３０】
床スラブ用の型枠８の上部に梁用の型枠９を配置しているので、梁用の型枠９の組み立て等の作業を床スラブ用の型枠８の上部において行なうことができる。従って、梁用の型枠９を床スラブ用の型枠８の下部に配置した場合のように、梁用の型枠９の取り付け、梁用の型枠９の床スラブ用の型枠８との接続、梁用の型枠９のサポート等の作業に要する手間を削減することができる。
【００３１】
（２）配筋工程
配筋工程においては、型枠工程において配置した各型枠７、８、９、１０の内側に柱筋１１、床スラブ筋１２、梁筋１３、及び壁筋１４を配筋する。この場合、床スラブ用の型枠８の上部に配置した梁用の型枠９に梁筋１３を配筋することになるので、床スラブ用の型枠８の上部に配筋した床スラブ筋１２の上部において梁筋１３の配筋を行なうことができる。従って、梁筋１３を配筋する際に、床スラブ筋１２を避けて梁用の型枠９の内側に梁筋１３を落とし込む必要はなく、梁筋１３の配筋に要する手間を大幅に削減することができる。
【００３２】
（３）コンクリート打設工程
型枠工程及び配筋工程を経て各型枠７、８、９、１０の内側に柱筋１１、床スラブ筋１２、梁筋１３及び壁筋１４を配筋した後に、各型枠７、８、９、１０の内側にコンクリート１５を打設し、コンクリート１５が硬化した後、各型枠７、８、９、１０の構成部品のうちの断熱材付き型枠を残置させ、それ以外の付属部品を躯体２の柱３、床スラブ４、梁５、壁６から取り外す。
このようにして、鉄筋コンクリート製の柱３、床スラブ４、梁５、及び壁６からなるラーメン構造の躯体２が構築される。
【００３３】
（４）床設置工程
躯体２の構築後に、床スラブ４の上部に梁５の梁成を床高とする床組１６を配置し、床組１６の上部に床１９を設置する。この場合、梁５を床組１６の支持柱１７として使用することができる。床１９と床スラブ４との間に形成される空間２０は、配線、配管、空調機等の設置スペースとして使用することができる。床１９の一部に開閉蓋を設けることにより、空間２０を床下収納部として機能させることもできる。
【００３４】
上記のように構成した本実施の形態による鉄筋コンクリート構造物及び鉄筋コンクリート構造物の構築工法にあっては、躯体２の床スラブ４の上部に一体に梁５を構築しているので、躯体２を構築する際の梁用の型枠９の取り付け、梁用の型枠９に対する梁筋１３の配筋作業を容易にすることができる。また、各型枠７、８、９、１０に断熱材付き打ち込み型枠を使用しているので、コンクリート１５の硬化後に各型枠７、８、９、１０を取り外す際に、各型枠７、８、９、１０を柱３、床スラブ４、梁５、及び外壁６の表面に残置させることができ、各型枠７、８、９、１０の取り外しに要する手間を大幅に削減することができる。さらに、躯体２に対して断熱材を新たに取り付ける必要がないので、その作業に要する手間も削減することができる。従って、全体としての工期を短縮化することができ、工費を大幅に削減することができる。
【図面の簡単な説明】
【００３５】
【図１】本発明による鉄筋コンクリート構造物の一実施の形態を示した概略図である。
【図２】図１の部分拡大図である。
【図３】従来の鉄筋コンクリート構造物の一例を示した部分拡大説明図である。
【図４】従来の鉄筋コンクリート構造物の一例を示した部分拡大説明図である。
【符号の説明】
【００３６】
１  コンクリート構造物      ２  躯体
３  柱                      ４  床スラブ
５  梁                      ６  外壁
７  柱用の型枠              ８  床スラブ用の型枠
９  梁用の型枠              １０  壁用の型枠
１１  柱筋                  １２  床スラブ筋
１３  梁筋                  １４  壁筋
１５  コンクリート          １６  床組
１７  支持柱                １８  床下地
１９  床                    ２０  空間
２４  床スラブ              ２５  梁
３０  梁用の型枠            ３１  フォームタイ
【図１】
2007332631.tif 000003
【図２】
2007332631.tif 000004
【図３】
2007332631.tif 000005
【図４】
2007332631.tif 000006